(57)【要約】【目的】初めて履いた幼児靴や、帽子・手袋・靴下、更には故人のネクタイ等の身の回り用品や、名刺入れ・財布等、その材質が布や皮革製の思い出の個人用品１を、受託により硬化して置物化したい。それも、使用していた当時のリアル感をも保持し得て、加えて透明ケース３内に、当時の思い出の写真２と一緒に飾り得る置物と加工方法としたい。【構成】思い出の個人用品１を、適度に洗浄した後に、乾燥後は透明となる水性系接着剤を塗布して乾燥する工程を数回繰り返して、求める硬度の表面を得て成る思い出の個人用品１の加工方法。更には思い出の個人用品１を透明ケース３の中に、少なくとも思い出の写真２と共に収容して置物として一体化させる。【選択図】    図１
2005028862.tif 000002
【特許請求の範囲】
【請求項１】
布や皮革製の思い出の個人用品（１）を、適度に洗浄して乾燥させた後に、水性系接着剤を塗布して乾燥する工程を数回繰り返して、上記思い出の個人用品（１）の表面を求める硬度に成して置物化したことを特徴とする思い出の個人用品の置物。
【請求項２】
布や皮革製の思い出の個人用品（１）が、肌着・靴・靴下・帽子などベビー若しくは幼児用品である請求項１記載の思い出の個人用品の置物。
【請求項３】
布や皮革製の思い出の物品（１）が、靴・靴下・帽子・ハンカチ・ネクタイ・ネッカチーフなど成人の身の回り用品である請求項１記載の思い出の個人用品の置物。
【請求項４】
布や皮革製の思い出の個人用品（１）が、財布・名刺入れ・定期券入れなど手持用品である請求項１記載の思い出の個人用品の置物。
【請求項５】
思い出の写真（２）を配置した透明ケース（３）の中に、思い出の個人用品（１）を収納して成る請求項１乃至請求項４のいずれかに記載の思い出の個人用品の置物。
【請求項６】
布や皮革製の思い出の個人用品（１）を、適度に洗浄して乾燥させた後に、水性系接着剤を塗布して乾燥する工程を数回繰り返して、上記思い出の個人用品（１）の表面を求める硬度に成して置物化する思い出の個人用品の製造加工方法。
【請求項７】
水性系接着剤を、酢酸ビニール系として、塗布皮膜が乾燥後透明仕上げとなる請求項６記載の思い出の個人用品の製造加工方法。
【発明の詳細な説明】
【技術分野】
【０００１】  この発明は、各家庭内等に保存してあった思い出の個人用品である幼児期の布製や皮革製品、例えば子供靴や帽子等を、受託によって見栄えのある室内用の置物と変えるべく加工し、それを「思い出の置物」として委託者に戻すものである。
この発明は、色々な思い出の個人用品の加工方法でもあり、更には、当時の思い出の写真をも配置した透明ケース内に収納させた置物としたものである。
【背景技術】
【０００２】  この種の置物とか飾り物については、日本には習慣がなかったが、欧州では昔から子供が初めて履いた靴を、半永久的に保存できるように硬化させ黄金色に加工して、その子が結婚したときに送るという習慣があったと言われている。
したがって、このような置物は、合成樹脂等で硬化させた上に着色したものが国内に最近になって出現したものであって、先願を調査しても全く見当たらなかった。【０００３】  先願に、目的を同じにしたものはないとしても、布製品に合成樹脂を用いて硬化させるものとして発明の名称「複合材製パイプ」がある（例えば、特許文献１参照。）。
これは、パイプの軽量化を図ると共にリサイクル性を向上させるためのものであって、構成部材である木綿糸・毛糸・紙や布製の紐を、加熱で溶融可能な合成樹脂を溶融させて、それらを硬化一体化させるものである。【０００４】  また、発明の名称「ホース、管および類似の細長体のための布製強化層状部材およびこれにより製造される製品」がある（例えば、特許文献２参照。）。
これも、ホースや管を構成する布製強化層状部材とシートがあって、そのシートが熱硬化合成樹脂製であり、加熱により硬化させるものである。
いずれも全く目的も期待する効果も、この発明とは異なるものである。
【特許文献１】  特開平１０−１９６８５２号（
【０００８】〜【０００９】）
【特許文献２】  特表２００１−５２６３７１号（明細書１〜２ページ）
【０００５】  先願にはないとしても、この発明の目的に似たものを幾例か紹介する。
それらは、保存されていた幼児靴を受託し、その幼児靴の外観を、委託者の好みによってゴールド・ミラー仕上げ、ブロンズ・アンティーク仕上げ、シルバー・ミラー仕上げ、シルバー・アンティーク仕上げ、或いは緑青仕上げ等々に、大体においてはブロンズ風の重量感のある室内用置物として加工提供するようにしたものである。【０００６】  例えば、黄金色にするために、金色の金属粉を接着剤液に混ぜたものを幼児靴に吹付け塗装するなり、メッキグレード樹脂等を用いたメッキ手法を採用しているようである。
なお、硬化用材として採用している合成樹脂は、緑青仕上げのものについて一例を挙げてみると、靴自体はポリエステル樹脂にて硬化させ、その表面を水性金属発色塗料にて塗布し、更に青錆び発色液で好みの錆色に仕上げている。  この例のように、硬化用材としてはポリエステル樹脂を採用しているものが多いようである。【０００７】  これらは、いずれも古い幼児靴を洗浄した上、合成樹脂で固めて硬化させて重量感を待たせたものとしている。
更には、大理石や黒御影石を台座に用いて一体化させて、一層高級感を演出させているものもある。
【発明の開示】
【発明が解決しようとする課題】
【０００８】  確かに古めかしい子供靴が、綺麗な室内用の置物として生き返ることは好ましいことである。ところが、重量感と高級感を強調するのみで何か物足りない感が否めない。
その物足りなさは何かと考えてみると、置物として静置して安定するように適度の固ささえあれば黄金色でなくとも重量感がなくともよいと思う人もいる筈である。
かえって、もっとヨチヨチ歩き出した当時のリアル感を保持したままの方が好ましいと思う人達も多いのである。【０００９】  このような場合は、古い物の洗浄もほどほどにする必要があるし、当然、透明な合成樹脂を採用しなければ下地を隠してしまうことになる。
加えて、当時の思い出の写真も一緒に飾っておきたいと思うようになったのである。思い出の写真と一緒なら一層昔の想いが深くなりより好ましいものとなる。【００１０】  思い出の写真と一緒にということになると、透明なガラス製かプラスチック製のケース内に収容させる方が相応しいということになる。
ところが、これらのケース内は、ほぼ密封状態となり、長期にわたって合成樹脂加工物と一緒にしておくと、写真に悪影響を与える場合が生ずるのである。
一般的に合成樹脂の塗布加工物からは、用いた合成樹脂液の未反応分や、その残存している有機性希釈材が徐々に空中へ発散して行くものである。【００１１】  すなわち、密封状態の中では、硬化加工された幼児靴のような思い出の物品から徐々に発散した硬化材や希釈材は、ケースの外へ出られぬので、写真面に長期にわたって接触することになる。特に、思い出の写真が古いものなら尚更影響が大きいのである。
思い出の写真は、そのことによって劣化を起こし、色調の変化や影像が薄くなるなどの影響を生ずる心配があるのである。
特に、加工時の乾燥等が不十分の場合や採用する材質によっては影響が大きく左右されるから注意を要する。
この発明は、従来の黄金色のみならず、透明な硬化材をも採用し得て、しかも加工作業が容易で、思い出の写真にも影響の少ない加工方法とするものである。【００１２】  更に、履物に限らず帽子や靴下や肌着なども、また、幼児期のみならず成人者でも故人の思い出のもの、例えば好んで用いたネクタイやネッカチーフ等身の回り用品から、名刺入れ・財布等の手持品類をも含めた所謂「思い出の個人用品」を、記念品として保存するなり置物としたいという欲求が生じるのである。
この発明は、布や皮革製のものなら幼児靴に留まらず小物の個人用品全般に適用できる加工方法とするものである。
【課題を解決するための手段】
【００１３】  この発明は、思い出の個人用品を適度な硬度と成し得て、しかも作業しやすい加工方法を提供するものである。
なお、説明において、図面に用いた符号は機能上同一なものは同一符号で示している。
布や皮革製の思い出の個人用品１を、適度に洗浄して乾燥させた後に、水性系接着剤を塗布して乾燥する工程を数回繰り返して、その思い出の個人用品１の表面を、求める硬度に成して置物化したことを特徴とする思い出の個人用品の置物とした。【００１４】  これら、布や皮革製の思い出の個人用品１は、幼児靴のみならず、帽子や手袋など、更にはネクタイ等身の回り用品から、名刺入れ・財布等の手持品類をも含めた置物であることは前述したとおりである。
更にまた、思い出の写真２を加えて、それが見えるように配置した透明ケース３の中に収納して一体化させて成る布や皮革物品の置物とするもよい。【００１５】  そして、布や皮革製の思い出の個人用品１を、適度に洗浄して乾燥させた後に、水性系接着剤を塗布して乾燥する工程を数回繰り返して、その思い出の個人用品１の表面を求める硬度に成して置物化する布や皮革物品の加工方法とする。
具体的には水性系接着剤を、酢酸ビニール系として、塗布皮膜が乾燥後透明仕上げとなる布や皮革物品の加工方法とする。
【発明の効果】
【００１６】  この発明は、初めて履いた時の幼児靴など思い出の個人用品１を、見栄えのある「室内用の置物」へと加工する際に、硬化材として水性系接着剤を採用したから、思い出の個人用品１の表面にあった模様や文字（シルク印刷等）が溶け出して滲んだりすることがないので、鮮明に往時の面影を表出でき得るし、しかも、多く市販されている接着剤を採用したから加工コストを節約できる上、安定した仕上がりとすることができる。【００１７】  加えて、思い出の個人用品１を透明ケース３内に収容し、併せて思い出の写真２を付加したものとすれば、往時の面影が浮き上がってきて、思い出の個人用品１を一層引き立ててくれるものとなった。
それに、長期にわたって透明ケース３内に、思い出の写真２と共に収容しておいても、硬化剤が水性系であるから思い出の写真２に影響を与える心配がなくなったので、委託者は安心して何時までも美しい思い出の写真２と共に観賞することができるようになった大変有効な改良発明であるといえる。
【発明を実施するための最良の形態】
【００１８】  具体的には水性系接着剤を、酢酸ビニール系として塗布した皮膜が乾燥後、透明仕上げとなるものを採用すれば、往時の思い出の個人用品１の表面にあった模様を鮮やかに表出できて、布や皮革物品の加工方法として最良の方法である。
また、前述において、塗布手段として刷毛塗りを採用したが、これは市販の酢酸ビニール系接着剤の粘度が比較的高く、しかも幼児靴には原液で用いるからであり、かえって幼児靴のようなものには刷毛塗りが丁度よいのであって、帽子や手袋のように柔らかなものなら、原液を希釈して噴射塗装するなり、浸漬するなり、思い出の個人用品１の材質や硬度にしたがって最適な方法を採用すればよいのである。【００１９】  また、乾燥手段の時間を短くすべく、自然乾燥でなく加熱による強制乾燥をする方法もあるが、その場合の加熱温度はせいぜい８０℃程度に抑えないと、乾燥中の思い出の個人用品１自体が変形してしまう懼れがあるから自然乾燥とする方が好ましいのである。
それ故、思い出の個人用品１の材質や形状によっては強制乾燥を採用すればよい。【００２０】  思い出の個人用品１を透明ケース３内に収納した場合、思い出の写真２を透明ケース３内に収納せずに、例えば図１の立方状の透明ケース３の一面の後ろに、すなわち或る一面の外側に、図示を省略したが、丁度大きな定期券入れのような透明カードケース（カードホルダー）を付加しておけば、思い出の写真２の差し替えが容易となり便利である。
その際、透明カードケースの差し入れ口のある方向は上方でも横方向でも構わない。【００２１】  勿論、図１のようなドーム形状の場合であっても、柔軟性のある透明カードケースを採用すれば、ドーム形状に沿って取り付け得るから心配ないし、いずれも思い出の写真２は透明ケース３の外側に配置されるから、思い出の写真２自体の差し替えが容易で、しかも前述のような合成樹脂加工物から発生する残存希釈材の影響を無視できるようになる。
【実施例１】
【００２２】  実施例１として、先ず受託した思い出の個人用品１である幼児靴を、その余分と思われる汚れを落とすためと、幼児靴の表面にある模様等は消さぬように中性洗剤を用いて洗浄を行って水洗をしたら、３日間天日で自然乾燥をする。
次に、用途が木・紙・布・革用である酢酸ビニール樹脂系で、乾くと透明となる木工用速乾性の水性系接着剤（セメダイン株式会社製）樹脂分５５％，水分４５％ものを用いて幼児靴の全表面を刷毛にて１回目の塗布をした。【００２３】  塗布を済ませた幼児靴は、塵埃の付着を防止するためにガラスケース内に置いて、３日間自然乾燥させた。その際、塗布した水性系接着剤の当初の色は乳白色であるが、乾燥するにつれて透明に変化する。
乾燥して塗布した水性系接着剤が透明になったなら、２回目の塗布を行って再び上記同様に３日間自然乾燥させる。
思い出の個人用品１の材質によって多少の違いはあるが、大体この程度で完成となる。【００２４】  次に、透明ケース３内に収納した場合について説明する。
図１は、ほぼ立方体とした透明ガラスのケースを用いて、その中に思い出の個人用品１である幼児靴を揃えて置いた状態で示したものである。
勿論、ガラス板でなく透明なプラスチック板でよいことは言うまでもないし、その接合部に示す桟４の材質が何であろうと問わない。また、桟４を設けずに透明板の各縁部を互いに直接接着させてもよい。
台座５の材質も、木板・金属板・石板等慣用されるものでよい。【００２５】  この発明の要部の一つである思い出の写真２は、立方体の適当な１つの面に貼付するなり、立て掛けるなり、その外、適当な掲示手段を設けて配置しておく。
したがって、図１は思い出の個人用品１である幼児靴置物の背面に配置して示したが、左右いずれかの側面に配置しても構わないし、その配置面は非透明であっても構わない。【００２６】  また、思い出の写真２を印画紙でなくフィルムを用いて、後方から光を照射させるようにすれば、趣の異なった効果を得ることができる。
更に、思い出の個人用品１である幼児靴置物の置き方を、図示とは変えて爪先立ちにするとか、片方のみを靴底が見えるように立てたりするのも面白いだろう。
そのためには、台座５との固定方法に配慮する必要がある。もっとも、固定せずに透明ケース３を外して何時でも自由に動かせるようにしておくのもよいだろう。
６は、思い出の個人用品１の使用者名やメモを記載するなり刻んだりした銘版である。図１では透明ケース３内に置くようにしているが、台座５の前面に配してもよい。
【実施例２】
【００２７】  図２は、実施例２として、透明ケース３自体を、台座５と共に円筒状のドーム形状としたものである。また、思い出の個人用品１である幼児靴置物の置き方も、図１のものとは変えて態々靴底が見えるように片方のみを立てたものである。
この場合は、倒れぬように幼児靴置物内に支柱を設けるなり多少の工夫を施す必要があるが、普段見えぬ所を見せるし、当時歩いた磨り減り具合が分かり、それなりの趣を生じて面白いものとなる。【００２８】  また、思い出の写真２は、円筒状の透明ケース３内面に沿って湾曲して置いた。いずれの思い出の写真２も方形のものとして示したが楕円でも菱形でもよいことは言うまでもない。なおまた、透明ケース３の形状によってこの発明が限定されるものではない。【００２９】  思い出の個人用品１の加工は受託して行うものであるから、委託者の要望をよく訊いてから加工することになる。
したがって、思い出の個人用品１を綺麗に洗浄して汚れを落とした上に、委託者の好みの色調に仕上げる場合もある。
この発明は、透明仕上げを主旨として説明してきたが、着色するなら、委託者の希望色を上塗りすればよいのであって、何色に着色しても構わないし、着色の有無によってこの発明が限定されるものではない。【００３０】  上述においては、思い出の個人用品１として殆ど幼児靴についてのみ説明してきたが、前述したように、帽子・手袋・靴下・ネクタイ等や、名刺入れ・財布等も、その材質が布や皮革製であるから、上述の酢酸ビニール樹脂系の硬化剤の採用で十分であり、これら小物類を記念品として保存したり置物となって目的を達成することができるのである。
【産業上の利用可能性】
【００３１】  この発明では、思い出の対象物として置物について詳述してきたが、布や皮革のみならず、柔らかな紙製品でも可能であるから、折鶴や風船のような柔らかな物なども工夫すれば硬化させた置物とすることができる。
また、置物に限らずキーホルダー等にも採用できよう。
【図面の簡単な説明】
【００３２】
【図１】  この発明の実施例で、思い出の個人用品として幼児靴置物を立方体の透明ガラスケース内に思い出の写真と共に収容して示した斜視図である。（実施例１）
【図２】  この発明の他の実施例で、思い出の個人用品とした幼児靴置物をドーム状の透明ガラスケース内に思い出の写真と共に収容して示した斜視図である。（実施例２）
【符号の説明】
【００３３】１  思い出の個人用品
２  思い出の写真
３  透明ケース
４  桟
５  台座
６  銘版
【図１】
2005028862.tif 000003
【図２】
2005028862.tif 000004